【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
方法において、
カスタマ構内設備（ＣＰＥ）中のモデムチップセットを使用して、前記ＣＰＥと広域アクセスネットワーク（ＷＡＮ）との間の接続の損失を検出することと、
前記接続の損失が持続している間、前記ＣＰＥに結合されているウェブブラウザからのＨＴＴＰトラフィックを、前記ＣＰＥ中のローカルウェブサーバにリダイレクトすることと、
前記ＣＰＥからのウェブページを、前記接続の損失に関連する前記ウェブブラウザに供給することとを含む方法。
【請求項２】
前記接続の損失が持続している間、ローカルＤＮＳサーバを使用して、前記ウェブブラウザによるＤＮＳクエリに応答することをさらに含む請求項１記載の方法。
【請求項３】
前記ウェブブラウザが前記ＣＰＥに透過的に接続するように、前記応答は、前記ＣＰＥのＩＰアドレスを含む請求項２記載の方法。
【請求項４】
前記ウェブブラウザからの前記ＨＴＴＰトラフィック中のホストＨＴＴＰヘッダを使用して、前記ＤＮＳクエリがリダイレクトされた要求であるか否かを決定することをさらに含む請求項２記載の方法。
【請求項５】
前記ウェブブラウザに前記ＣＰＥと通信させるために使用されることになるＩＰアドレスを、前記ＣＰＥに関係付けられている複数のＩＰアドレスから決定することをさらに含む請求項１記載の方法。
【請求項６】
前記複数のＩＰアドレスは、前記ＣＰＥのＬＡＮインターフェースに関係付けられている請求項５記載の方法。
【請求項７】
診断を開始して、前記接続の損失の原因を決定することをさらに含む請求項１記載の方法。
【請求項８】
前記診断は、マイクロフィルタが前記ＣＰＥモデムのＷＡＮインターフェースに偶然に結合されているか否かを決定することを含む請求項７記載の方法。
【請求項９】
カスタマ構内設備（ＣＰＥ）装置において、
モデムチップセットによって実現され、前記ＣＰＥと広域アクセスネットワーク（ＷＡＮ）との間の接続の損失を検出するラインモニタと、
前記接続の損失が持続している間、前記ＣＰＥに結合されているウェブブラウザからのＨＴＴＰトラフィックを、前記ＣＰＥ中のローカルウェブサーバにリダイレクトするＨＴＴＰリダイレクタとを具備し、
前記ウェブブラウザは、前記ＣＰＥからのウェブページを、前記接続の損失に関連する前記ウェブブラウザに供給するように適合されているＣＰＥ装置。
【請求項１０】
前記接続の損失が持続している間、前記ウェブブラウザによるＤＮＳクエリに応答するように適合されているローカルＤＮＳサーバをさらに具備する請求項９記載のＣＰＥ装置。
【請求項１１】
前記ウェブブラウザが前記ＣＰＥに透過的に接続するように、前記応答は、前記ＣＰＥのＩＰアドレスを含む請求項１０記載のＣＰＥ装置。
【請求項１２】
前記ＨＴＴＰリダイレクタは、前記ウェブブラウザからの前記ＨＴＴＰトラフィック中のホストＨＴＴＰヘッダを使用して、前記ＤＮＳクエリがリダイレクトされた要求であるか否かを決定する請求項１０記載のＣＰＥ装置。
【請求項１３】
前記ＨＴＴＰリダイレクタは、前記ウェブブラウザに前記ＣＰＥと通信させるために使用されることになるＩＰアドレスを、前記ＣＰＥに関係付けられている複数のＩＰアドレスから決定する請求項９記載のＣＰＥ装置。
【請求項１４】
前記複数のＩＰアドレスは、前記ＣＰＥのＬＡＮインターフェースに関係付けられている請求項１３記載のＣＰＥ装置。
【請求項１５】
前記ラインモニタは、診断を実行して、前記接続の損失の原因を決定するようにさらに適合され、前記診断は、マイクロフィルタが前記ＣＰＥモデムのＷＡＮインターフェースに偶然に結合されているか否かを決定することを含む請求項９記載のＣＰＥ装置。
【手続補正２】
【補正対象書類名】明細書
【補正対象項目名】００３７
【補正方法】変更
【補正の内容】
【００３７】
［００３７］
本発明は、その好ましい実施形態を参照して特に説明してきたが、本発明の精神および範囲から逸脱することなく、形式および詳細における変更や修正が行われてもよいことは、当業者には容易に明らかであろう。添付された特許請求の範囲はそのような変更および修正を含むことが意図されている。
以下に、本願出願の当初の特許請求の範囲に記載された発明を付記する。
［１］  方法において、
カスタマ構内設備（ＣＰＥ）中のモデムチップセットを使用して、前記ＣＰＥと広域アクセスネットワーク（ＷＡＮ）との間の接続の損失を検出することと、
前記接続の損失が持続している間、前記ＣＰＥに結合されているウェブブラウザからのＨＴＴＰトラフィックを、前記ＣＰＥ中のローカルウェブサーバにリダイレクトすることと、
前記ＣＰＥからのウェブページを、前記接続の損失に関連する前記ウェブブラウザに供給することとを含む方法。
［２］  前記接続の損失が持続している間、ローカルＤＮＳサーバを使用して、前記ウェブブラウザによるＤＮＳクエリに応答することをさらに含む［１］記載の方法。
［３］  前記ウェブブラウザが前記ＣＰＥに透過的に接続するように、前記応答は、前記ＣＰＥのＩＰアドレスを含む［２］記載の方法。
［４］  前記ウェブブラウザからの前記ＨＴＴＰトラフィック中のホストＨＴＴＰヘッダを使用して、前記ＤＮＳクエリがリダイレクトされた要求であるか否かを決定することをさらに含む［２］記載の方法。
［５］  前記ウェブブラウザに前記ＣＰＥと通信させるために使用されることになるＩＰアドレスを、前記ＣＰＥに関係付けられている複数のＩＰアドレスから決定することをさらに含む［１］記載の方法。
［６］  前記複数のＩＰアドレスは、前記ＣＰＥのＬＡＮインターフェースに関係付けられている［５］記載の方法。
［７］  前記ＣＰＥは、ＤＳＬモデムである［１］記載の方法。
［８］  診断を開始して、前記接続の損失の原因を決定することをさらに含む［１］記載の方法。
［９］  前記診断は、マイクロフィルタが前記ＣＰＥモデムのＷＡＮインターフェースに偶然に結合されているか否かを決定することを含む［８］記載の方法。
［１０］  カスタマ構内設備（ＣＰＥ）装置において、
モデムチップセットによって実現され、前記ＣＰＥと広域アクセスネットワーク（ＷＡＮ）との間の接続の損失を検出するラインモニタと、
前記接続の損失が持続している間、前記ＣＰＥに結合されているウェブブラウザからのＨＴＴＰトラフィックを、前記ＣＰＥ中のローカルウェブサーバにリダイレクトするＨＴＴＰリダイレクタとを具備し、
前記ウェブブラウザは、前記ＣＰＥからのウェブページを、接続の損失に関連する前記ウェブブラウザに供給するように適合されているＣＰＥ装置。
［１１］  前記接続の損失が持続している間、前記ウェブブラウザによるＤＮＳクエリに応答するように適合されているローカルＤＮＳサーバをさらに具備する［１０］記載のＣＰＥ装置。
［１２］  前記ウェブブラウザが前記ＣＰＥに透過的に接続するように、前記応答は、前記ＣＰＥのＩＰアドレスを含む［１１］記載のＣＰＥ装置。
［１３］  前記ＨＴＴＰリダイレクタは、前記ウェブブラウザからの前記ＨＴＴＰトラフィック中のホストＨＴＴＰヘッダを使用して、前記ＤＮＳクエリがリダイレクトされた要求であるか否かを決定する［１１］記載のＣＰＥ装置。
［１４］  前記ＨＴＴＰリダイレクタは、前記ウェブブラウザに前記ＣＰＥと通信させるために使用されることになるＩＰアドレスを、前記ＣＰＥに関係付けられている複数のＩＰアドレスから決定する［１０］記載のＣＰＥ装置。
［１５］  前記複数のＩＰアドレスは、前記ＣＰＥのＬＡＮインターフェースに関係付けられている［１４］記載のＣＰＥ装置。
［１６］  前記ＣＰＥは、ＤＳＬモデムである［１０］記載のＣＰＥ装置。
［１７］  前記ラインモニタは、診断を実行して、前記接続の損失の原因を決定するようにさらに適合されている［１０］記載のＣＰＥ装置。
［１８］  前記診断は、マイクロフィルタが前記ＣＰＥモデムのＷＡＮインターフェースに偶然に結合されているか否かを決定することを含む［１７］記載のＣＰＥ装置。